【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
測定された信号サンプル中のモードの数を検出することと、各モードは頻度に対応する、
前記検出することに少なくとも部分的に基づいて、また、前記モードの少なくとも１つの前記頻度がしきい値を満たすかに少なくとも部分的に基づいて、信号がマルチモーダル分布を含んでいるときを判断することと、
前記判断することに少なくとも部分的に基づいて共存インジケーションを作成することと
を備える、ワイヤレス通信のための方法。
【請求項２】
前記検出することは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断することは、前記第２の出現頻度がしきい値を上回ることに少なくとも部分的に基づく、請求項１に記載の方法。
【請求項３】
前記しきい値は、前記第１の出現頻度に少なくとも部分的に基づく、
請求項２に記載の方法。
【請求項４】
前記共存インジケーションを前記作成することは、前記第１の出現頻度および／または前記第２の出現頻度に少なくとも部分的にさらに基づく、
請求項２に記載の方法。
【請求項５】
前記信号が前記マルチモーダル分布を含んでいるときを判断することは、前記第１のモードと前記第２のモードとのメトリック値が少なくとも第２のしきい値だけ異なることに少なくとも部分的に基づく、請求項２に記載の方法。
【請求項６】
前記メトリック値は、信号品質値を備える、
請求項５に記載の方法。
【請求項７】
共存メッセージをサービング基地局に送信することをさらに備え、前記共存メッセージは、前記共存インジケーションを備える、
請求項１に記載の方法。
【請求項８】
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
請求項７に記載の方法。
【請求項９】
前記測定された信号サンプルに少なくとも部分的に基づいて干渉無線アクセス技術（ＲＡＴ）を識別することをさらに備える、
請求項１に記載の方法。
【請求項１０】
干渉ＲＡＴは、前記干渉ＲＡＴの干渉バースト長、デューティサイクル、あるいは他の時間または周波数特徴のうちの少なくとも１つに少なくとも部分的に基づいて識別される、
請求項１に記載の方法。
【請求項１１】
前記共存インジケーションを作成することは、複数のデバイス内無線アクセス技術（ＲＡＴ）の同時動作に少なくとも部分的にさらに基づく、
請求項１に記載の方法。
【請求項１２】
前記信号サンプルは、パイロットシンボルと非パイロットシンボルとにわたって測定される、
請求項１に記載の方法。
【請求項１３】
測定された信号サンプル中のモードの数を検出するための手段と、各モードは頻度に対応する、
前記検出することに少なくとも部分的に基づいて、また、前記モードの少なくとも１つの前記頻度がしきい値を満たすかに少なくとも部分的に基づいて、信号がマルチモーダル分布を含んでいるときを判断するための手段と、
前記判断することに少なくとも部分的に基づいて共存インジケーションを作成するための手段と
を備える、ワイヤレス通信のための装置。
【請求項１４】
前記検出するための手段は、
前記測定された信号サンプル中の第１のモードを識別するための手段と、
前記測定された信号サンプル中の前記第１のモードの第１の出現頻度を判断するための手段と、
前記測定された信号サンプルの一部分中の第２のモードを識別するための手段と、
前記測定された信号サンプルの前記一部分中の前記第２のモードの第２の出現頻度を判断するための手段と
を備え、
前記信号が前記マルチモーダル分布を含んでいるときを判断するための前記手段は、前記第２の出現頻度がしきい値を上回ることに少なくとも部分的に基づく、
請求項１３に記載の装置。
【請求項１５】
ワイヤレスネットワークにおけるワイヤレス通信のためのコンピュータプログラム製品であって、
プログラムコードを記録した非一時的なコンピュータ可読媒体を備え、前記プログラムコードは、
測定された信号サンプル中のモードの数を検出するためのプログラムコードと、各モードは頻度に対応する、
前記検出することに少なくとも部分的に基づいて、また、前記モードの少なくとも１つの前記頻度がしきい値を満たすかに少なくとも部分的に基づいて、信号がマルチモーダル分布を含んでいるときを判断するためのプログラムコードと、
前記判断することに少なくとも部分的に基づいて共存インジケーションを作成するためのプログラムコードと
を備える、コンピュータプログラム製品。
【請求項１６】
検出するための前記プログラムコードは、
前記測定された信号サンプル中の第１のモードを識別するためのプログラムコードと、
前記測定された信号サンプル中の前記第１のモードの第１の出現頻度を判断するためのプログラムコードと、
前記測定された信号サンプルの一部分中の第２のモードを識別するためのプログラムコードと、
前記測定された信号サンプルの前記一部分中の前記第２のモードの第２の出現頻度を判断するためのプログラムコードと
を備え、
前記信号が前記マルチモーダル分布を含んでいるときを判断するための前記プログラムコードは、前記第２の出現頻度がしきい値を上回ることに少なくとも部分的に基づく、
請求項１５に記載のコンピュータプログラム製品。
【請求項１７】
メモリと、
前記メモリに結合された少なくとも１つのプロセッサであって、
測定された信号サンプル中のモードの数を検出することと、各モードは頻度に対応する、
前記検出することに少なくとも部分的に基づいて、また、前記モードの少なくとも１つの前記頻度がしきい値を満たすかに基づいて、信号がマルチモーダル分布を含んでいるときを判断することと、
前記判断することに少なくとも部分的に基づいて共存インジケーションを作成することと
を行うように構成される少なくとも１つのプロセッサと
を備える、ワイヤレス通信のための装置。
【請求項１８】
検出するためのプログラムコードは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断するように構成された前記少なくとも１つのプロセッサは、前記第２の出現頻度がしきい値を上回ることに少なくとも部分的に基づく、
請求項１７に記載の装置。
【請求項１９】
前記しきい値は、前記第１の出現頻度に少なくとも部分的に基づく、
請求項１８に記載の装置。
【請求項２０】
前記共存インジケーションを前記作成するように構成された前記少なくとも１つのプロセッサは、前記第１の出現頻度および／または前記第２の出現頻度に少なくとも部分的にさらに基づく、
請求項１８に記載の装置。
【請求項２１】
前記信号が前記マルチモーダル分布を含んでいるときを判断するように構成された前記少なくとも１つのプロセッサは、前記第１のモードと前記第２のモードとのメトリック値が少なくとも第２のしきい値だけ異なることに少なくとも部分的に基づく、
請求項１８に記載の装置。
【請求項２２】
前記メトリック値は、信号品質値を備える、
請求項２１に記載の装置。
【請求項２３】
前記少なくとも１つのプロセッサは、共存メッセージをサービング基地局に送信するようにさらに構成され、前記共存メッセージは、前記共存インジケーションを備える、
請求項１８に記載の装置。
【請求項２４】
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
請求項２３に記載の装置。
【請求項２５】
前記少なくとも１つのプロセッサは、前記測定された信号サンプルに少なくとも部分的に基づいて干渉無線アクセス技術（ＲＡＴ）を識別するようにさらに構成される、
請求項１８に記載の装置。
【請求項２６】
干渉ＲＡＴは、前記干渉ＲＡＴの干渉バースト長、デューティサイクル、あるいは他の時間または周波数特徴のうちの少なくとも１つに少なくとも部分的に基づいて識別される、
請求項１８に記載の装置。
【請求項２７】
前記共存インジケーションを作成することは、複数のデバイス内無線アクセス技術（ＲＡＴ）の同時動作に少なくとも部分的にさらに基づく、
請求項１８に記載の装置。
【請求項２８】
前記信号サンプルは、パイロットシンボルと非パイロットシンボルとにわたって測定される、
請求項１８に記載の装置。
【手続補正２】
【補正対象書類名】明細書
【補正対象項目名】０１０８
【補正方法】変更
【補正の内容】
【０１０８】
開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
測定された信号サンプル中のモードの数を検出することと、
前記検出することに少なくとも部分的に基づいて、信号がマルチモーダル分布を含んでいるときを判断することと、
前記判断することに少なくとも部分的に基づいて共存インジケーションを作成することと
を備える、ワイヤレス通信のための方法。
［Ｃ２］
前記検出することは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断することは、前記第２の出現頻度がしきい値を上回ることに少なくとも部分的に基づく、
［Ｃ１］に記載の方法。
［Ｃ３］
前記しきい値は、前記第１の出現頻度に少なくとも部分的に基づく、
［Ｃ２］に記載の方法。
［Ｃ４］
前記共存インジケーションを前記作成することは、前記第１の出現頻度および／または前記第２の出現頻度に少なくとも部分的にさらに基づく、
［Ｃ２］に記載の方法。
［Ｃ５］
前記信号が前記マルチモーダル分布を含んでいるときを判断することは、前記第１のモードと前記第２のモードとのメトリック値が少なくとも第２のしきい値だけ異なることに少なくとも部分的に基づく、
［Ｃ２］に記載の方法。
［Ｃ６］
前記メトリック値は、信号品質値を備える、
［Ｃ５］に記載の方法。
［Ｃ７］
共存メッセージをサービング基地局に送信することをさらに備え、前記共存メッセージは、前記共存インジケーションを備える、
［Ｃ１］に記載の方法。
［Ｃ８］
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
［Ｃ７］に記載の方法。
［Ｃ９］
前記測定された信号サンプルに少なくとも部分的に基づいて干渉無線アクセス技術（ＲＡＴ）を識別することをさらに備える、
［Ｃ１］に記載の方法。
［Ｃ１０］
前記干渉ＲＡＴは、前記干渉ＲＡＴの干渉バースト長、デューティサイクル、あるいは他の時間または周波数特徴のうちの少なくとも１つに少なくとも部分的に基づいて識別される、
［Ｃ１］に記載の方法。
［Ｃ１１］
前記共存インジケーションを作成することは、複数のデバイス内無線アクセス技術（ＲＡＴ）の同時動作に少なくとも部分的にさらに基づく、
［Ｃ１］に記載の方法。
［Ｃ１２］
前記信号サンプルは、パイロットシンボルと非パイロットシンボルとにわたって測定される、
［Ｃ１］に記載の方法。
［Ｃ１３］
測定された信号サンプル中のモードの数を検出するための手段と、
前記検出することに少なくとも部分的に基づいて、信号がマルチモーダル分布を含んでいるときを判断するための手段と、
前記判断することに少なくとも部分的に基づいて共存インジケーションを作成するための手段と
を備える、ワイヤレス通信のための装置。
［Ｃ１４］
前記検出するための手段は、
前記測定された信号サンプル中の第１のモードを識別するための手段と、
前記測定された信号サンプル中の前記第１のモードの第１の出現頻度を判断するための手段と、
前記測定された信号サンプルの一部分中の第２のモードを識別するための手段と、
前記測定された信号サンプルの前記一部分中の前記第２のモードの第２の出現頻度を判断するための手段と
を備え、
前記信号が前記マルチモーダル分布を含んでいるときを判断するための前記手段は、前記第２の出現頻度がしきい値を上回ることに少なくとも部分的に基づく、
［Ｃ１３］に記載の装置。
［Ｃ１５］
ワイヤレスネットワークにおけるワイヤレス通信のためのコンピュータプログラム製品であって、
非一時的プログラムコードを記録したコンピュータ可読媒体を備え、前記プログラムコードは、
測定された信号サンプル中のモードの数を検出するためのプログラムコードと、
前記検出することに少なくとも部分的に基づいて、信号がマルチモーダル分布を含んでいるときを判断するためのプログラムコードと、
前記判断することに少なくとも部分的に基づいて共存インジケーションを作成するためのプログラムコードと
を備える、コンピュータプログラム製品。
［Ｃ１６］
検出するための前記プログラムコードは、
前記測定された信号サンプル中の第１のモードを識別するためのプログラムコードと、
前記測定された信号サンプル中の前記第１のモードの第１の出現頻度を判断するためのプログラムコードと、
前記測定された信号サンプルの一部分中の第２のモードを識別するためのプログラムコードと、
前記測定された信号サンプルの前記一部分中の前記第２のモードの第２の出現頻度を判断するためのプログラムコードと
を備え、
前記信号が前記マルチモーダル分布を含んでいるときを判断するための前記プログラムコードは、前記第２の出現頻度がしきい値を上回ることに少なくとも部分的に基づく、［Ｃ１５］に記載のコンピュータプログラム製品。
［Ｃ１７］
メモリと、
前記メモリに結合された少なくとも１つのプロセッサであって、
測定された信号サンプル中のモードの数を検出することと、
前記検出することに少なくとも部分的に基づいて、信号がマルチモーダル分布を含んでいるときを判断することと、
前記判断することに少なくとも部分的に基づいて共存インジケーションを作成することと
を行うように構成される少なくとも１つのプロセッサと
を備える、ワイヤレス通信のための装置。
［Ｃ１８］
検出するためのプログラムコードは、
前記測定された信号サンプル中の第１のモードを識別することと、
前記測定された信号サンプル中の前記第１のモードの第１の出現頻度を判断することと、
前記測定された信号サンプルの一部分中の第２のモードを識別することと、
前記測定された信号サンプルの前記一部分中の前記第２のモードの第２の出現頻度を判断することと
を備え、
前記信号が前記マルチモーダル分布を含んでいるときを判断するように構成された前記少なくとも１つのプロセッサは、前記第２の出現頻度がしきい値を上回ることに少なくとも部分的に基づく、
［Ｃ１７］に記載の装置。
［Ｃ１９］
前記しきい値は、前記第１の出現頻度に少なくとも部分的に基づく、
［Ｃ１８］に記載の装置。
［Ｃ２０］
前記共存インジケーションを前記作成するように構成された前記少なくとも１つのプロセッサは、前記第１の出現頻度および／または前記第２の出現頻度に少なくとも部分的にさらに基づく、
［Ｃ１８］に記載の装置。
［Ｃ２１］
前記信号が前記マルチモーダル分布を含んでいるときを判断するように構成された前記少なくとも１つのプロセッサは、前記第１のモードと前記第２のモードとのメトリック値が少なくとも第２のしきい値だけ異なることに少なくとも部分的に基づく、
［Ｃ１８］に記載の装置。
［Ｃ２２］
前記メトリック値は、信号品質値を備える、
［Ｃ２１］に記載の装置。
［Ｃ２３］
前記少なくとも１つのプロセッサは、共存メッセージをサービング基地局に送信するようにさらに構成され、前記共存メッセージは、前記共存インジケーションを備える、
［Ｃ１８］に記載の装置。
［Ｃ２４］
前記共存メッセージは、前記測定された信号サンプル中のモードの測定された数、干渉無線アクセス技術（ＲＡＴ）の信号強度、前記干渉ＲＡＴのデューティサイクル、または前記干渉ＲＡＴのタイプのうちの少なくとも１つをさらに備える、
［Ｃ２３］に記載の装置。
［Ｃ２５］
前記少なくとも１つのプロセッサは、前記測定された信号サンプルに少なくとも部分的に基づいて干渉無線アクセス技術（ＲＡＴ）を識別するようにさらに構成される、
［Ｃ１８］に記載の装置。
［Ｃ２６］
前記干渉ＲＡＴは、前記干渉ＲＡＴの干渉バースト長、デューティサイクル、あるいは他の時間または周波数特徴のうちの少なくとも１つに少なくとも部分的に基づいて識別される、
［Ｃ１８］に記載の装置。
［Ｃ２７］
前記共存インジケーションを作成することは、複数のデバイス内無線アクセス技術（ＲＡＴ）の同時動作に少なくとも部分的にさらに基づく、
［Ｃ１８］に記載の装置。
［Ｃ２８］
前記信号サンプルは、パイロットシンボルと非パイロットシンボルとにわたって測定される、
［Ｃ１８］に記載の装置。